(57)【要約】【課題】  整形外科等における施術のひとつとして、現在頸の牽引器により行われている後頭下筋群及び後頭骨と第１頚椎間の伸張を、簡単な器具を用いて被施術者自身で行えるようにすること。【解決手段】  枕板の一端と上部台とをヒンジにて枕板が回動可能になるよう連結し、該枕板と上部台との間にスプリングＡを伸縮自在に取り付け、上部台と下部台とを連結金具にてスライド可能に連結し、該上部台と下部台との間にスプリングＢを伸縮自在に取り付け、枕板及び上部台の上面及び下面と下部台の底面にすべり止め材を貼付した、姿勢矯正器具。【選択図】図１
2007283078.tif 000002
【特許請求の範囲】
【請求項１】
枕板の一端と上部台とをヒンジにて枕板が回動可能になるよう連結し、該枕板と上部台との間にスプリングＡを伸縮自在に取り付け、上部台と下部台とを連結金具にてスライド可能に連結し、該上部台と下部台との間にスプリングＢを伸縮自在に取り付け、枕板及び上部台の上面及び下面と下部台の底面にすべり止め材を貼付した、姿勢矯正器具。
【請求項２】
枕板の一端と上部台とをヒンジにて枕板が回動可能になるよう連結し、該枕板と上部台との間にスプリングＡを伸縮自在に取り付け、上部台の側面両側にスライドピンを取り付け、該上部台の下部の一端に連結ピンを取り付け、下部台の上面にスライド金具を取り付け、該下部台の一端にスライド溝を設け、上部台の連結ピンを下部台のスライド溝に挿入してスライド可能に連結し、上部台と下部台との間にスプリングＢをその一端は上部台の下面に、他の一端は下部台の上面に伸縮自在に取り付け、上部台のスライドピンをスライド金具のスライド穴に嵌入し、枕板及び上部台の上面及び下面と下部台の底面にすべり止め材を貼付した、姿勢矯正器具。
【発明の詳細な説明】
【技術分野】
【０００１】  本発明は、人間の首の後頭下筋群及び後頭骨と第１頚椎間を伸張することにより姿勢を矯正する、姿勢矯正器具に関するものである。
【背景技術】
【０００２】  人間の後頭部の筋肉や頚椎は、疲労や加齢に伴い衰え萎縮していく傾向にある。後頭部の筋肉や頚椎が萎縮すると、顎が上がるので体のバランスをとるために胸椎が背側に湾曲する。いわゆる猫背になる。そのため、それを矯正するために、従来整形外科等では頸の牽引器により後頭部を引っ張り上げて後頭部の筋肉や頚椎を伸張していた。【０００３】  尚、本発明とは目的が異なるが、頚椎を矯正する器具として提案されているものに下記の文献がある。
【特許文献１】  特開２０００−１０５５２
【発明の開示】
【発明が解決しようとする課題】
【０００４】  疲労や加齢に伴う後頭下部の筋肉や頚椎の萎縮、それによる胸椎の変形、いわゆる猫背を矯正するために、従来頸の牽引器による施術で後頭部を引っ張り上げて後頭下筋群や頚椎特に第１頚椎と後頭骨の間の伸張を行うことにより、姿勢矯正施術を行っていたわけであるが、これらの施術は整形外科等の医療機関で行うしかなく、被施術者が自分で行うことは出来なかった。
本発明は、後頭下筋群や頚椎の伸張を簡単な器具で行うことにより、被施術者自身でそれをできるようにしたものである。
尚、特開２０００−１０５５２においては、第２頚椎から第７頚椎の変形を矯正しようとするものであり、本発明の目的とは異なる。
即ち、特開２０００−１０５５２においては、通常は前湾している頚椎が交通事故によるむちうち症によって前湾状態がずれてしまう状態を元の前湾状態に戻そうとするために考えられたものである。そのため、ただ後首部にあてがうだけの構造となっている。本発明は、通常前湾状態にある頚椎が疲労や加齢に伴う後頭下部の筋肉や頚椎の萎縮により、通常の前湾状態よりさらに前湾状態になるものを元の正常な前湾状態に戻そうとするものである。
従って、本発明においては、仰向けに寝た状態で器具に後頭部を乗せたときに、その重量で枕部が上方に移動して後頭部を引っ張り上げる構造としたものである。
【課題を解決するための手段】
【０００５】  枕板（１）の一端と上部台（２）とをヒンジ（３）により回動可能に取り付け、該枕板（１）と上部台（２）との間にスプリングＡ（４）を伸縮自在に取り付ける。
上部台（２）と下部台（５）とを連結金具（６）及び連結金具止めネジ（７）にてスライド可能に連結し、該上部台（２）と下部台（５）との間にスプリングＢ（８）を伸縮自在に取り付ける。
枕板（１）及び上部台（２）の上面及び下面に上部すべり止め材（９）を貼付し、下部台（５）の底面に下部すべり止め材（１０）を貼付する。
以上の構成よりなる、姿勢矯正器具。
【発明の効果】
【０００６】  疲労や加齢に伴う後頭下部の筋肉や頚椎の萎縮による前湾の増大とそれに伴う胸椎の後湾の増大、いわゆる猫背を矯正するために、現在頸の牽引器で行っている後頭部伸張施術を本発明を用いて行うことによって、被施術者自身でその施術を行うことができる。
【発明を実施するための最良の形態】
【０００７】  本発明の実施の形態を図１により説明する。
（イ）半円弧状の枕板（１）の一端と上部台（２）とをヒンジ（３）にて回動可能に取り付け、枕板（１）と上部台（２）との間にスプリングＡ（４）を伸縮自在に取り付ける。
（ロ）上部台（２）と下部台（５）とを連結金具（６）及び連結金具止めネジ（７）にて４ヶ所前方にスライド可能に取り付け、該上部台（２）と下部台（５）との間にスプリングＢ（８）を伸縮自在に取り付ける。後方にスライドするのを防止するため、上部台（２）には溝Ａ（２ａ）及び溝Ｂ（２ｂ）を、下部台（５）には溝Ｃ（５ａ）及び溝Ｄ（５ｂ）を両側に設ける。
（ハ）枕板（１）の上面と上部台（２）の上面及び下面にかけて上部すべり止め材（９）を貼付し、下部台（５）の底面に下部すべり止め材（１０）を貼付する。
これにより、本器具に頭を乗せたときに、器具自体が前方に移動するのを防止することができる。
すべり止め材は、網状のすべり止め材等が市販されているので、それらを使用すればよい。また、枕板（１）に頭を乗せたときに材質が硬いために暫く乗せていると、頭が痛くなるのを防止するため、枕板（１）と上部すべり止め材（９）との間に適当な弾力性を持ったクッション材を入れるとよい。
尚、スプリングＡ（４）及びスプリングＢ（８）は、他の伸縮性を持った素材、例えば発泡ウレタンのようなものでも代替可能である。
【実施例】
【０００８】  本発明の請求項２による実施例を図３により説明する。
（イ）半円弧状の枕板（１１）の一端と上部台（１２）とをヒンジ（１３）にて回動可能に取り付け、枕板（１１）と上部台（１２）との間にスプリングＡ（１４）を伸縮自在に取り付ける。上部台（１２）の下端には連結ピン（１６）を取り付ける。
（ロ）下部台（１５）の一端にスライド溝（１５ａ）を設け、該下部台（１５）の他方にスライド金具（１７）を取り付ける。スライド金具（１７）の両側面にはスライド穴（１７ａ）を設ける。
（ハ）上部台（１２）の側面にスライドピン（１８）を取り付け、該スライドピン（１８）をスライド金具（１７）のスライド穴（１７ａ）にスライド可能に連結し、連結ピン（１６）をスライド溝（１５ａ）に嵌め込む。
スプリングＢ（１９）を、その一端は上部台（１２）の下面に固定し、他の一端は下部台（１５）の上面に固定して伸縮自在に取り付ける。
（ニ）枕板（１１）の上面と上部台（１２）の上面及び下面にかけて上部すべり止め材（２０）を貼付し、下部台（１５）の底面に下部すべり止め材（２１）を貼付する。
【使用例】
【０００９】  本発明の使用の態様を図１により説明する。
被施術者が仰向けに寝て、本発明の上に後頭下部を乗せるとその重量により枕板（１）が回動気味に前方に移動して閉じ、頭を乗せた部分は回動と同時に前方に移動する。同時に上部台（２）は回動気味に前方（被施術者から見て上方に）にスライドする。その前方への移動距離は枕板（１）の移動による距離が約１５ｍｍ、上部台（２）のスライドによる移動距離が約１５ｍｍ〜２０ｍｍで合計約３０ｍｍ〜３５ｍｍである。即ち、頭を乗せたときに後頭部が約３０ｍｍ〜３５ｍｍ引っ張り上げられることになる。
図４にその使用状態を示す。本態様は、請求項２による実施例でもほぼ同様である。
【００１０】  後頭骨と第１頚椎の間には、小後頭直筋及び大後頭直筋という後頭直筋その他の後頭下筋群がまたいでおり、それらの筋肉を伸張する。また、頚椎は第１頚椎から第７頚椎まであるが、特に後頭骨と第１頚椎間を伸張するとそれが他の頚椎に及んで伸張する。
頚椎には両側に横突起があり、そこに横突孔という穴が開いていて、その穴に椎骨動脈と椎骨静脈という血管が通っている。後頭筋群が萎縮し、頚椎の前湾が大きくなると顎が上がるので、体のバランスをとるために、胸椎の後湾がより大きくなる。つまり猫背になる。それと同時に頚椎の血管が圧迫された状態となるので、血流が悪くなる。
別の見方をすると、脊椎の後頭部中心には風府、その両脇には天柱という経穴があり、頚椎の前湾が大きくなるとこの風府、天柱の流れに阻害が生じる。これを本発明を用いて正常な湾曲に戻してやることにより、風府、天柱のある経絡の流れがよくなり、それが全身に及んでいく。
ちなみに風府の流れに阻害が生じると、頭痛・頚強直・うっ血・精神病・脳卒中等の障害が起こり、天柱の流れに阻害が生じると、後頭痛・不眠・頚頭部痛・高血圧・精神病等の障害が起こると言われている。
従って、頚椎の湾曲を正常な位置に戻すことにより、上記の障害が取り除かれるわけである。
本発明は、被施術者が家庭において自分で使用し、自己施術をすることができる。
【図面の簡単な説明】
【００１１】
【図１】  本発明の正面図及び右側面図
【図２】  本発明の斜視図
【図３】  請求項２の実施例を示す側面図
【図４】  本発明の使用状態を示す参考図
【符号の説明】
【００１２】  １    枕板
２    上部台
２ａ  溝Ａ
２ｂ  溝Ｂ
３    ヒンジ
４    スプリングＡ
５    下部台
５ａ  溝Ｃ
５ｂ  溝Ｄ
６    連結金具
７    連結金具止めネジ
８    スプリングＢ
９    上部すべり止め材
１０    下部すべり止め材
１１    枕板
１２    上部台
１３    ヒンジ
１４    スプリングＡ
１５    下部台
１５ａ  スライド溝
１６    連結ピン
１７    スライド金具
１７ａ  スライド穴
１８    スライドピン
１９    スプリングＢ
２０    上部すべり止め材
２１    下部すべり止め材
【図１】
2007283078.tif 000003
【図２】
2007283078.tif 000004
【図３】
2007283078.tif 000005
【図４】
2007283078.tif 000006